(57)【要約】【課題】光電変換素子アレイを複数個直線状に配置した画像読取ユニットのように、光電変換素子列に不連続な部分がある画像読取装置において、不連続部分による読取画像に対する影響を低減すること。【解決手段】少なくとも読取原稿の主要部を前記不連続部分を避けて画像読取装置に配置するように、光電変換素子列（１４）の不連続部分の位置を表示（４０１）するか、あるいは、不連続部分を避けて原稿を配置するための原稿ホルダー（１０２）を設ける。また、読取原稿を配置する位置は、主走査方向端部に近い位置とする。【選択図】　図４
2004007547.tif 000002
【特許請求の範囲】
【請求項１】
原稿の画像を読み取る画像読取装置であって、
直線状に配置された光電変換素子列に不連続部分を有する画像読取ユニットと、
前記原稿と前記画像読取ユニットとを相対的に走査移動させる駆動部と、
前記光電変換素子列の不連続部分による前記原稿の画像の主要部の読み取りを防止するように、前記原稿の戴置位置を決めるための位置決め部材と
を有することを特徴とする画像読取装置。
【請求項２】
前記位置決め部材は、
透過原稿を保持する透過原稿ホルダーと、
前記相対的な走査移動による走査時に、前記透過原稿の有効画像領域が前記光電変換素子列の不連続部分が走査する範囲外に配置されるように前記透過原稿ホルダーの位置を支持する支持部材と
を有することを特徴とする請求項１に記載の画像読取装置。
【請求項３】
前記位置決め部材は、前記光電変換素子列の不連続部分の位置を示す印を有する部材であることを特徴とする請求項１に記載の画像読取装置。
【請求項４】
前記位置決め部材は、前記原稿の副走査方向の位置決めをする部材を含むことを特徴とする請求項１乃至３のいずれかに記載の画像読取装置。
【請求項５】
前記光電変換素子列の不連続部分は、複数の光電変換素子を直線状に配置した光電変換素子アレイを複数個直線状に配置した画像読取ユニットにおける、前記光電変換素子アレイ間の繋ぎ目部分であることを特徴とする請求項１乃至３のいずれかに記載の画像読取装置。
【請求項６】
前記透過原稿ホルダーは凸部を有し、前記支持部材は前記凸部と係合して前記透過原稿ホルダーの位置を支持する凹部を有することを特徴とする請求項２に記載の画像読取装置。
【請求項７】
前記支持部材は、前記透明原稿ホルダーを前記画像読取ユニットの主走査方向端部に前記透過原稿ホルダーを位置決めすることを特徴とする請求項２に記載の画像読取装置。
【請求項８】
原稿を載置するための原稿台ガラスと、
前記原稿台ガラスについて、前記画像読取ユニットの反対側から前記透過原稿を照明する面光源とを更に有し、
前記面光源は前記透過原稿を前記原稿台ガラスに押圧することを特徴とする請求項２に記載の画像読取装置。
【発明の詳細な説明】
【０００１】
【発明の属する技術分野】
本発明は、光電変換素子列を用いて画像を読み取る画像読取装置に係り、特に、光電変換素子列に不連続な部分が存在する画像読取センサを用いる画像読取装置に関する。
【０００２】
【従来の技術】
従来、複数個の光電変換素子アレイを直線状に配置した画像読取ユニットを使用して、写真印画紙や雑誌などの画像を読み取る画像読取装置が存在していた。
【０００３】
【発明が解決しようとする課題】
しかしながら、画像読取装置は複数個の光電変換素子アレイを直線状に配置していることから、光電変換素子アレイと光電変換素子アレイとの間に繋ぎ目が存在するため、読み取った画像は繋ぎ目の部分で不連続になるという欠点がある。しかし、繋ぎ目の隙間が現在の製造技術では６０μｍ程度であり、従来のような写真印画紙や雑誌などを通常用いられる等倍のレンズで読み取る場合には、原稿の大きさに比べて６０μｍの繋ぎ目は殆ど無視できるものであった。
【０００４】
ところが、写真フィルムなどの透過原稿を読み取る機能を持たせる際には、繋ぎ目が問題点として浮かび上がってくる。写真フィルムの画像サイズが小さく、かつ緻密であるために、実際の画像読み込みと表示には、高解像度な光電変換素子アレイを用いて、かつ拡大表示することが多い。そのため、たとえば光電変換素子アレイが２４００ｄｐｉの密度の場合、６０μｍの隙間には２４００ｄｐｉに換算して６画素程度の不連続画像が発生し、特に拡大表示や拡大印刷した場合に不連続画像が目立ってしまう。
【０００５】
また、光電変換素子を用いて透過原稿を読み取る画像読取装置では、その光学系の都合上、走査方向に対して端部の解像力が中央部に比べて悪い。そのため中央部近傍で透過原稿を読み取るのが一般的であった。
【０００６】
しかしながら、近年、装置の薄型小型化を目的として、原稿台密着型読み取りセンサーを用いた画像読取装置がある。そのような装置に透過原稿照射ユニットを搭載して写真フィルムを読み取ろうとすると、フィルムホルダーでフィルムの上下を押さえ込むことができず、直接ガラスにフィルムを置くことが必要になる。その上に透過原稿照射ユニットを置くことになるが、被写界深度が浅いため、フィルムが少しでも焦点位置からずれると解像力が低下してしまう。
【０００７】
本発明は、上記の問題点に鑑みてなされたものであり、簡単かつ安価な構成で、光電変換素子列の不連続部分による読取画像に対する影響を低減することを目的とするものである。
【０００８】
また、簡単かつ安価な構成で、部品精度のばらつきによる焦点ずれを最小に抑え、さらに、原稿の浮きによる焦点ずれを防ぐことを更なる目的とする。
【０００９】
【課題を解決するための手段】
上記目的を達成するために、本発明の画像読取装置は、以下のような構成を有する。
【００１０】
［１］原稿の画像を読み取る画像読取装置であって、直線状に配置された光電変換素子列に不連続部分を有する画像読取ユニットと、前記原稿と前記画像読取ユニットとを相対的に走査移動させる駆動部と、前記光電変換素子列の不連続部分による前記原稿の画像の主要部の読み取りを防止するように、前記原稿の戴置位置を決めるための位置決め部材とを有することを特徴とする画像読取装置。
【００１１】
［２］前記位置決め部材は、透過原稿を保持する透過原稿ホルダーと、前記相対的な走査移動による走査時に、前記透過原稿の有効画像領域が前記光電変換素子列の不連続部分が走査する範囲外に配置されるように前記透過原稿ホルダーの位置を支持する支持部材とを有することを特徴とする［１］に記載の画像読取装置。
【００１２】
［３］前記位置決め部材は、前記光電変換素子列の不連続部分の位置を示す印を有する部材であることを特徴とする［１］に記載の画像読取装置。
【００１３】
［４］前記位置決め部材は、前記原稿の副走査方向の位置決めをする部材を含むことを特徴とする［１］乃至［３］のいずれかに記載の画像読取装置。
【００１４】
［５］前記光電変換素子列の不連続部分は、複数の光電変換素子を直線状に配置した光電変換素子アレイを複数個直線状に配置した画像読取ユニットにおける、前記光電変換素子アレイ間の繋ぎ目部分であることを特徴とする［１］乃至［３］のいずれかに記載の画像読取装置。
【００１５】
［６］前記透過原稿ホルダーは凸部を有し、前記支持部材は前記凸部と係合して前記透過原稿ホルダーの位置を支持する凹部を有することを特徴とする［２］に記載の画像読取装置。
【００１６】
［７］前記支持部材は、前記透明原稿ホルダーを前記画像読取ユニットの主走査方向端部に前記透過原稿ホルダーを位置決めすることを特徴とする［２］に記載の画像読取装置。
【００１７】
［８］原稿を載置するための原稿台ガラスと、前記原稿台ガラスについて、前記画像読取ユニットの反対側から前記透過原稿を照明する面光源とを更に有し、前記面光源は前記透過原稿を前記原稿台ガラスに押圧することを特徴とする［２］に記載の画像読取装置。
【００１８】
【発明の実施の形態】
以下、添付図面を参照しながら本発明の好適な実施の形態を説明する。ただし、本実施の形態において例示される構成部品の寸法、材質、形状、それらの相対配置などは、本発明が適用される装置の構成や各種条件により適宜変更されるべきものであり、本発明がそれらの例示に限定されるものではない。
【００１９】
＜第１の実施形態＞
図１は本発明の第１の実施形態にかかる画像読取装置を表す部分透過図であり、（ａ）は斜視図、（ｂ）は側面図、（ｃ）は上面図である。同図において、１は画像読取ユニット、２はステッピングモーター、３は駆動ベルト、４は原稿台ガラス、５は制御基板、６は３５ｍｍ写真フィルム、７は白色基準板を兼ねた原稿規制板、８はフラットケーブル、９は外部コンピューター、１０１は画像読取ユニット１を取り付けるキャリッジ、１０２は３５ｍｍ写真フィルム６を固定する、画像読取装置から着脱可能なフィルムホルダー、１０３は画像読取装置から着脱可能なフィルム用光源ユニット、１０４は１０３と制御基板５を接続するためのケーブル、１０５は原稿規制板である。
【００２０】
図２は、画像読取ユニット１の構成を示す斜視図で、１０、１１、１２は夫々赤色、緑色、青色のＬＥＤ、１３は導光体、１４は光電変換素子で構成されるリニアイメージセンサ、１５はロッドレンズアレイ、１６は光電変換素子を取り付ける基板である。
【００２１】
制御基板５によりステッピングモーター２が駆動される。この駆動力はベルト３によってキャリッジ１０１、すなわち画像読取ユニット１に伝達され、画像読取ユニット１は原稿台ガラス４に沿って連続的に移動しながら原稿台ガラス４上に置かれた被写体を走査する。
【００２２】
画像読取ユニット１に取り付けられたリニアイメージセンサ１４は図２に示すように画像読取ユニット１の長軸方向に沿って配置されている。本第１の実施形態の場合、Ａ４原稿の短手方向に２４００ＤＰＩ相当の密度を持つ読み取りユニットであり、リニアイメージセンサ１４は、１４ａ〜１４ｈの８個の光電変換素子アレイが直線状に配置されている。光電変換素子アレイ１個あたりの素子数は２５７６素子であり、合計で２０６０８画素分の光電変換素子が基板１６上に並んでいる。
【００２３】
ここで、まず、原稿台ガラス４上に置かれた反射原稿（不図示）の画像を読み取る場合について説明する。なお、この場合にはフィルムホルダー１０２及びフィルム用光源ユニット１０３は画像読取装置から外されている。
【００２４】
ＬＥＤ１０，１１，１２からの光は導光体１３で画像読取ユニット１の長軸方向に分散されながら、かつ、原稿台ガラス４上面に到達する。この光は原稿台ガラス４上面に置かれた原稿により拡散反射され、ロッドレンズアレイ１５により集光されてリニアイメージセンサ１４上に投射される。ロッドレンズアレイ１５は原稿の画像を等倍でリニアイメージセンサ１４上に投射する特性を持つ。原稿により反射されたＬＥＤ１０，１１，１２の光を受けてリニアイメージセンサ１４には電荷が蓄積され、次の周期のライン読取開始パルス（Ｈｓｙｎｃ）でリニアイメージセンサ１４内の転送部に保存され、画像読取クロック（Ｃｌｏｃｋ）によって１画素毎の電気信号として出力される。
【００２５】
ＬＥＤ１０，１１，１２の点灯はライン読取開始パルス（Ｈｓｙｎｃ）毎に切り換えられ、画像読取ユニット１の移動に連れて、各ＬＥＤ１０，１１，１２を順次点灯させる。各ＬＥＤ１０，１１，１２によって色分解されて検出された画像信号はフラットケーブル８を通して制御基板５から外部コンピューター９に送られ、外部コンピューター９により画像処理が行われる。
【００２６】
次に、本第１の実施形態における、透過原稿の３５ｍｍ写真フィルム６を読み取る場合について説明する。この場合、フィルムホルダー１０２及びフィルム用光源ユニット１０３を用いて読み取りを行う。
【００２７】
図３は、３５ｍｍ写真フィルム６を読み取る場合に用いるフィルム用光源ユニット１０３の構成図で、面光源１７、フィルム用赤色ＬＥＤ１８、フィルム用緑色ＬＥＤ１９、フィルム用青色ＬＥＤ２０を内部にもつ。本第１の実施形態における面光源１７には、例えば特開２００１−３４２１０号公報に記載されているような面光源を用いることができる。各ＬＥＤの光は面光源１７の下面から均一な光として発せられる。本第１の実施形態の面光源１７は有効発光面が５０ｍｍ×２５ｍｍであり、３５ｍｍ写真フィルム６の１コマ分の有効画像領域である約３６ｍｍ×２４ｍｍを照射することができる。３５ｍｍ写真フィルム６は、原稿台ガラス４上に置かれ、フィルム用光源ユニット１０３は３５ｍｍ写真フィルム６の上面に設置する。フィルム用光源ユニット１０３から発せられたＬＥＤの光は、３５ｍｍ写真フィルムを透過し、ロッドレンズアレイ１５によりリニアイメージセンサ１４上に投射させられる。前述の反射光の読み取りと同様に、画像読取ユニット１の移動に連れて、各フィルム用ＬＥＤ１８、１９、２０を順次点灯させる。なお、フィルム用光源ユニット１０３は移動せず、画像読取ユニット１だけが移動して３５ｍｍ写真フィルム６を走査する。
【００２８】
図４は、本第１の実施形態の特徴を説明する図で、リニアイメージセンサ１４と３５ｍｍ写真フィルム６の位置関係を表す。図２にも示したように、リニアイメージセンサ１４は光電変換素子アレイ１４ａ〜１４ｈが８個直線状に並んでいるが、アレイとアレイの間には必ず繋ぎ目がある。この部分は画像を読み取る場合に不連続な読取画像を生成する。そこで本第１の実施形態では３５ｍｍ写真フィルム６を読み取る際に、繋ぎ目の部分が３５ｍｍ写真フィルム６の有効画像領域内に入らないように設置することで、不連続な画像が発生するのを防ぐ。本第１の実施形態の光電変換素子アレイ１４ａ〜１４ｈは長さが２７．２６ｍｍであり、３５ｍｍ写真フィルム６の短辺の有効画像幅は約２４ｍｍである。本第１の実施形態では、ロッドレンズアレイ１５は等倍レンズなので、３５ｍｍ写真フィルム６の短辺を、あるひとつの光電変換素子アレイ、たとえば１４ｇの読取範囲内に収めることで繋ぎ目を避けて設置することができる。本第１の実施形態では、図４に示すように、３５ｍｍ写真フィルム６を穴部１０２ａに収めたフィルムガイド１０２を、原稿規制板７と原稿規制板１０５とに突き当てて設置している。このように設置することで、３５ｍｍ写真フィルムの２４ｍｍの有効画像領域が１つの光電変換素子アレイ（例えば１４ｇ）の走査範囲内に収まるように、各部材の誤差も考慮して寸法を決める。
【００２９】
＜変形例＞
図４の原稿規制板７に示すように、光電変換素子アレイ１４ａ〜１４ｈの端部を示すマーク４０１を原稿規制板７に印刷、刻印などにより提示してもよい。このマーク４０１を目印にして３５ｍｍ写真フィルム６を設置することも可能であるし、フィルムガイド１０２とマーク４０１を併用して、別の位置にフィルムガイド１０２を設置して使用することも可能である。また、１つの光電変換素子アレイの幅に収まりきらない大きい写真フィルムを読み取る場合でも、原稿画像内の注目画像部分をこのマーク４０１から離れた位置に配置することで、読取画像の注目部分の画像劣化を抑えることができる。さらに、写真フィルムのような透過原稿に限らず、写真印画紙のような反射原稿でも同様に配置できる。
【００３０】
＜第２の実施形態＞
次に、本発明の第２の実施形態について説明する。
【００３１】
図５は、本発明の第２の実施形態に係る画像読取装置の部分透過斜視図である。図５において、２１は画像読取装置から着脱可能なフィルムホルダー、２２は透過原稿照射ユニット、２３はケーブル、２００はスキャナ本体、２０１はベースフレーム、２０２は原稿台ガラス、２０３、２０４はガラスフレーム、２１０は画像読取ユニット、２２０は圧板、２２１は圧板のヒンジである。
【００３２】
なお、画像読取ユニット２１０は、上記第１の実施形態で図２を参照して説明したものと同様の構成を有し、原稿台ガラス２０２上に置かれた被写体（不図示）の画像は、第１の実施形態で上述したようにして読み取ることができる。
【００３３】
次に、本第２の実施形態における、透過原稿の３５ｍｍ写真フィルムＦを読み取る場合について説明する。
【００３４】
図６は、スキャナ本体２００にフィルムホルダー２１を装着する時の様子を示す図である。フィルムホルダー２１には爪２１ｅ、２１ｆが構成され、ガラスフレーム２０３には、爪２１ｅ及び２１ｆと係合する窪み２０３ａ、２０３ｂが構成されている。ユーザーは爪２１ｅ、２１ｆを窪み２０３ａ、２０３ｂに嵌め込むことで、主走査方向及び副走査方向について位置決めすることができる。また、フィルムホルダー２１は、原稿台ガラス２０２に自重で乗ることにより、上下方向に位置決めされる。このように、フィルムホルダー２１の爪２１ｅ、２１ｆをガラスフレーム２０３の窪み２０３ａ、２０３ｂに引っかけて固定しているため、容易に位置ズレを防止することができる。また、２０１ａは透過原稿照射ユニット２２のコネクタ用穴、２０１ｂは、不図示のパソコンなどの外部情報処理装置と接続するためのコネクタ用穴である。
【００３５】
図７は、透過原稿照射ユニット２２の一例を示す展開図である。２４は、面光源体であり、ＲＧＢおよび赤外のＬＥＤを内蔵している。ＬＥＤの端子２４ａ、２４ｂ・・・は、基板２５のパターンに半田付けされ、基板２５上のコネクタ２５ａにつながっている。基板２５は、面光源体２４の爪２４ｈにより、固定されている。
【００３６】
面光源体２４は、基台２６に挿入され、固定される。ケーブル２３のコネクタ部２３ａは、基板２５上のコネクタ２５ａに嵌め込まれる。カバー２７は、基台２６に、ビス２８で固定される。
【００３７】
ユーザーは、フィルムホルダー２１を前述のようにしてスキャナ本体２００に装着して位置決めした後、図５に示すようにフィルムＦをフィルムホルダー２１の穴部２１ｃに挿入し、位置決め指標２１ｄにフィルムのコマをあわせて位置決めする。
【００３８】
そして、透過原稿照射ユニット２２のケーブル２３を、図６に示す透過原稿照射ユニットのコネクタ用穴２０１ａに挿入する。次に、図８に示すように、透過原稿照射ユニット２２の基台２６の凸出部２６ａ、２６ｂ、２６ｃをフィルムホルダー２１の凹み部２１ａ、２１ｂ、２１ｃに嵌め込む。このとき、図９に示すように、透過原稿照射ユニット２２を斜めに挿入しても、基台２６の凸出部２６ｃの幅が、フィルムホルダー２１の凹み部２１ｃの幅と略同じ幅なので、図１０に示すように、面光源２４がフィルムＦに到達する前に、先ず面光源２４をフィルムと平行にした後でないと、フィルム面まで下ろせない。これにより、面光源２４の端部角がフィルムＦに接触して傷をつけるのを防ぐことができる。
【００３９】
図１１は、フィルムホルダー２１及び透過原稿照射ユニット２２を画像読取装置に装着した場合の主操作方向の断面図を示している。図１１に示すように面光源２４は基台２６の凸出部２６ａ、２６ｂ、２６ｃがフィルムホルダー２１の凹み部２１ａ、２１ｂ、２１ｃの下面に接触するより先に原稿台ガラス２０２に接触するように構成されているため、フィルムが湾曲していても面光源２４を介した透過原稿照射ユニット２２全体の自重により平らに矯正され、ガラスに密着する。
【００４０】
上記の通りフィルムホルダー２１及び透過原稿照射ユニット２２を設置した後、図１２に示すように圧板２２０を閉める。なお、図１２は、画像読取装置を横から見た図である。これにより圧板２２０の質量が透過原稿照射ユニット２２を介してフィルムに伝わり、さらにフィルムの湾曲を矯正する効果が発揮される。
【００４１】
そして、パソコン（不図示）上のスタートボタンまたは画像読取装置のスタートボタン（不図示）を押すと、面光源２４はＲ、Ｇ、Ｂを順次切り替えて点灯し、スキャナ本体２００に内蔵された画像読取ユニット２１０が図５の矢印Ａの方向に走査しながら、フィルムの画像を読み取る。この時、画像読取ユニット２１０のランプは消灯されている。
【００４２】
この画像読取ユニット２１０はロッドレンズアレイを用いて等倍率で読み取るもので、従来から広く用いられている縮小光学系レンズを用いてＣＣＤセンサで読取る読取ユニットＣＣＤセンサに比べて、その構造上、被写界深度が極端に浅い。そのためフィルムが原稿台ガラスから浮いていると良好な読み取り画像が得られなくなる。本第２の実施形態では上述したような方法でフィルムを押さえることにより原稿台ガラス２０２に対するフィルムの浮きを無くし、良好な画像が得られるようにしているが、一方で原稿台ガラス２０２に対する画像読取ユニット２１０の距離の保証も重要になってくる。
【００４３】
図１１に示すように、画像読取ユニット２１０と原稿台ガラス２０２の間には原稿台ガラス２０２の原稿載置面と画像読取ユニット２１０の受光面の間隔を保証するためのスペーサ３１ａ、３１ｂが画像読取ユニット２１０の両端部に置かれている。画像読取ユニット２１０と原稿台ガラス２０２はそれぞれ製造工程上の都合で反りがある（一般的には最悪０．２ｍｍ〜０．４ｍｍ）ため、中央部はスペーサ３１ａ、３１ｂによって間隔を保証された両端部に比べてリニアイメージセンサ１４のピントの合い方が悪い。そのためフィルムを端部に置いたほうが鮮鋭度の高い画像が得られる。
【００４４】
また図５に示すように画像読取ユニット２１０は原稿と主走査方向に同幅の読み取り素子を必要とするが、図２を参照して説明したように、製造の都合上これだけの長尺素子は実現不可能であるため、複数の光電変換素子アレイを並べて構成している。上述したように、光電変換素子アレイ１４ａ〜１４ｈの各光電変換素子アレイの長さは３５ｍｍ写真フィルムの幅より若干長い程度である。したがってフィルムを読み取って得た画像上に光電変換素子アレイと光電変換素子アレイの繋ぎ目が現れるのを防ぐため、ひとつの光電変換素子アレイ内にフィルムの幅が収まるように配置するのが望ましい。本第２の実施形態ではフィルムホルダー２１をフィルムホルダー２１に設けた爪２１ｅ、２１ｆでガラスフレーム２０３の窪み２０３ａ、１０３ｂに引っ掛けて主走査方向の位置決めをすることにより、フィルムの全幅を光電変換素子アレイ１４ａ〜１４ｈのいずれか１つの幅に収まるように配置する。
【００４５】
上述したようにフィルムホルダーー２１を原稿台上の主走査方向のいずれかの端部に、かつフィルムの幅が１つの光電変換素子アレイ内に配置されるようフィルムホルダー２１を本体に位置決めするように、フィルムホルダーに爪を、ガラスフレームには爪に係合する窪みをつけることにより、複数の光電変換素子アレイをつなげて構成したリニアイメージセンサを有する画像読取ユニットを用いても、質が良く鮮鋭な、繋ぎ目の無い画像を、容易且つ確実に得ることができる。
【００４６】
なお、上記第２の実施形態では、副走査方向（画像読取装置の長手方向）に沿ってガラスフレームに沿って窪みを付け、フィルムホルダー２１の爪２１ｅ，２１ｆを係合させるようにしたが、主走査方向（画像読取装置の短手方向）に沿って窪みと爪が係合するように構成したり、副走査方向、主走査方向の両方に構成してもよいことは言うまでもない。
【００４７】
【発明の効果】
上記のように本発明によれば、複数の光電変換素子アレイをつなげて構成したリニアイメージセンサを有する画像読取ユニットを用いてフィルムを読み取る場合にも、簡単な構成で、質が良く鮮鋭な、また、光電変換素子アレイの繋ぎ目の影響が無い又は影響が軽減された画像を得ることが可能となる。さらに、ロッドレンズアレイのような被写界深度が浅いレンズを用いても、焦点の合った画像を得ることができる。
【図面の簡単な説明】
【図１】
本発明の第１の実施形態に係る画像読取装置の基本的な構成を表す概略図であ
る。
【図２】
本発明の第１の実施形態に係る画像読取装置の画像読取ユニットの構成を示す
図である。
【図３】
本発明の第１の実施形態に係る画像読取装置のフィルム光源ユニットの構成を
示す図である。
【図４】
本発明の第１の実施形態に係る３５ｍｍ写真フィルムと、画像読み取りユニッ
ト内の光電変換素子アレイとの位置関係を示す図である。
【図５】
本発明の第２の実施形態に係る画像読取装置の構成を表す部分透過斜視図であ
る。
【図６】
本発明の第２の実施形態に係るスキャナ本体にフィルムホルダーを装着する様
子を示す図である。
【図７】
本発明の第２の実施形態に係る透過原稿照射ユニットの展開図である。
【図８】
本発明の第２の実施形態に係るフィルムホルダーに透過原稿照射ユニットを嵌
め込む様子を示す図である。
【図９】
本発明の第２の実施形態に係る透過原稿照射ユニットをフィルムホルダーに斜
めに挿入する動作を示す図である。
【図１０】
本発明の第２の実施形態に係る透過原稿照射ユニットの面光源が、フィルムに面接触した状態を示す図である。
【図１１】本発明の第２の実施形態に係るスペーサ、撮像素子アレイ、透過原稿照射ユニットの関係を表す断面図である。
【図１２】本発明の第２の実施形態に係る透明原稿の読み取り時に画像読取装置の圧板を閉めた状態を示す図である。
【符号の説明】
１…画像読取ユニット　２…ステッピングモーター　３…駆動ベルト　４…原稿台ガラス　５…制御基板　６…３５ｍｍ写真フィルム　７…原稿規制板　８…フラットケーブル　９…外部コンピューター　１０…赤色ＬＥＤ　１１…緑色ＬＥＤ　１２…青色ＬＥＤ　１３…導光体　１４…光電変換素子アレイ　１５…ロッドレンズアレイ　１６…基板　１７…面光源　１８…フィルム用赤色ＬＥＤ　１９…フィルム用緑色ＬＥＤ　２０…フィルム用青色ＬＥＤ　１０１…キャリッジ　１０２…ガイド　１０３…フィルム用光源ユニット　１０４…ケーブル　１０５…原稿規制板　４０１…マーク　２１…フィルムホルダー　２１ａ、２１ｂ、２１ｃ…凹み部　２１ｅ、２１ｇ…爪　２２…透過原稿照射ユニット　２３…ケーブル　２４…面光源体　２５…基板　２６…基台　２６ａ、２６ｂ、２６ｃ…凸出部　２００…スキャナ本体　２０１…ベースフレーム　２０２…原稿台ガラス　２０３、２０４…ガラスフレーム　２０３ａ、２０３ｂ…窪み　２１０…画像読取ユニット　２２０…圧板　２２１…ヒンジ
【図１】
2004007547.tif 000003
【図２】
2004007547.tif 000004
【図３】
2004007547.tif 000005
【図４】
2004007547.tif 000006
【図５】
2004007547.tif 000007
【図６】
2004007547.tif 000008
【図７】
2004007547.tif 000009
【図８】
2004007547.tif 000010
【図９】
2004007547.tif 000011
【図１０】
2004007547.tif 000012
【図１１】
2004007547.tif 000013
【図１２】
2004007547.tif 000014